(57)【要約】【課題】泥水式シールド工法において、切羽の上方を直接、簡便に短時間で探査する。【解決手段】この方法では、超音波受発信器Ｕを先端に取り付けた探査棒Ｂをマシン本体内部からバルクヘッド２に形成した穴２０を通してチャンバー３内の泥水Ｍ中に挿入するとともに、超音波受発信器Ｕをカッターヘッド１前方の切羽上部の地山Ｐ１又はカッターヘッド１天端周辺の地山Ｐ２に向けて当該地山Ｐ１又はＰ２と泥水Ｍとの境界面を泥水Ｍの比重に応じて探査可能な地点まで移動し、泥水Ｍ中で超音波を発信し受信して超音波受発信器Ｕから当該地山Ｐ１又はＰ２までの距離を測定し、切羽、地山の状態を把握する。【選択図】図１
2018040118.tif 000002
【特許請求の範囲】
【請求項１】
泥水式シールドマシン先端の面板及びカッターからなるカッターヘッドを回転させ、前記カッターヘッド後方のバルクヘッドにより隔成されるチャンバー内に送泥管により泥水を供給充填して、前記カッターヘッド前方の切羽面を泥水で加圧しながら掘削した前記カッターヘッド前方の切羽上部及び前記カッターヘッド天端周辺の地山の状態を把握する切羽地山探査方法であって、
前記シールドマシンの停止中に、制御装置にケーブル又は無線により接続された超音波受発信器を先端に取り付けた探査棒を前記シールドマシンの本体内部から前記バルクヘッドに形成した穴を通して前記チャンバー内の泥水中に挿入するとともに、前記超音波受発信器を前記カッターヘッド前方の切羽上部の地山又は前記カッターヘッド天端周辺の地山に向けて当該地山と前記泥水との境界面を前記泥水の比重に応じて探査可能な地点まで移動し、前記泥水中で前記超音波受発信器から超音波を発信し、当該地山と前記泥水との境界面での反射波を前記超音波受発信器で検知して、前記超音波受発信器から当該地山までの距離を測定することにより、切羽、地山の状態を把握する、
ことを特徴とする切羽地山探査方法。
【請求項２】
超音波受送信器及び制御装置に地中連続壁の側壁測定用の超音波測定装置を含む汎用機を使用する請求項１に記載の切羽地山探査方法。
【請求項３】
予め、チャンバー内に供給する泥水と同じ比重の模擬泥水と模擬土砂を入れた水槽の中で、使用する超音波受発信器が前記模擬泥水と前記模擬土砂との境界面を探査可能な当該境界面からの距離を測定しておき、当該距離に基づいて、探査棒を前記超音波受発信器から前記バルクヘッドに形成した穴を通して前記チャンバー内の泥水中に挿入するとともに、前記超音波受発信器を前記カッターヘッド前方の切羽上部の地山又は前記カッターヘッド天端周辺の地山に向けて当該地山と前記泥水との境界面を前記泥水の比重に応じて探査可能な地点まで移動する請求項１又は２に記載の切羽地山探査方法。
【請求項４】
予め、チャンバー内に供給する泥水と同じ比重の模擬泥水と模擬土砂を入れた水槽の中で、使用する超音波受発信器が前記模擬泥水と前記模擬土砂との境界面を探査可能な当該境界面からの距離を測定しておき、当該距離に基づいて、探査棒に必要な長さを算出する請求項１乃至３のいずれかに記載の切羽地山探査方法。
【請求項５】
超音波受発信器から受発信する超音波をカッターヘッドの面板に土砂の取り込み用に形成されるスリットを通して前記面板を透過させる請求項１乃至４のいずれかに記載の切羽地山探査方法。
【請求項６】
泥水式シールドマシン先端の面板及びカッターからなるカッターヘッドを回転させ、前記カッターヘッド後方のバルクヘッドにより隔成されるチャンバー内に送泥管により泥水を供給充填して、前記カッターヘッド前方の切羽面を泥水で加圧しながら掘削した前記カッターヘッド前方の切羽上部及び前記カッターヘッド天端周辺の地山の状態を把握する切羽地山探査装置であって、
超音波を受発信する超音波受発信器と、
前記超音波受発信器を制御する制御装置と、
前記超音波受発信器を先端に取り付けて、前記超音波受発信器を泥水中で移動するための所定の長さを有する探査棒とを備え、
先端に前記超音波受発信器を有する前記探査棒を前記シールドマシンの本体内部から前記バルクヘッドに形成した穴を通して前記チャンバー内の泥水中を前記カッターヘッド前方の切羽上部の地山又は前記カッターヘッド天端周辺の地山に向けて当該地山と泥水との境界面を泥水の比重に応じて探査可能な探査地点まで延ばし、前記探査地点で前記超音波受発信器から超音波を発信し、当該地山と泥水との境界面での反射波を前記超音波受発信器で検知して、前記超音波受発信器から当該地山までの距離を測定する、
ことを特徴とする切羽地山探査装置。
【発明の詳細な説明】
【技術分野】
【０００１】
本発明は、泥水式シールド工法に用いる切羽地山探査方法及び装置に関し、特に、シールドマシンのカッターヘッド前方の切羽上方の地山、及びカッターヘッド天端周辺の地山の状態（地山の崩壊の有無、コピーカッターによって人為的に行った余掘りの状態など）を探査する切羽地山探査方法及び装置に関する。
【背景技術】
【０００２】
泥水式シールド工法では、シールドマシンで掘削する切羽面にシールドマシン側から泥水を供給し加圧することにより切羽の安定を図りながら掘削を進め、掘削した土砂は泥水とともに地上へ搬送し、地上で土砂と泥水を分離して、掘削した土砂を回収し、泥水を再利用する。
この工法に用いられるシールドマシンは、一般に、マシン本体の先端に回転自在に支持される面板と複数のカッタ（ローラカッタ）とからなるカッターヘッド及びカッターヘッドを回転させる駆動モータ、カッターヘッドの後方に隔壁により隔成されたチャンバー、マシン本体側からチャンバーに挿通される送泥管及び排泥管などを備えて構成される。
このようにしてカッターヘッドを駆動モータにより回転させるとともに、送泥管からベントナイトや粘土などの粘性材料を加えた泥水をチャンバー内に供給充填し切羽面を泥水（泥水圧）で加圧することにより切羽の安定を図りながら掘削を進め、カッターヘッドで掘削した土砂は泥水中に取り込んで排泥水とし、この排泥水を排泥管を通して地上へ搬送するようになっている。
このような泥水式シールド工法においては、掘削土の取り込み過多や土水圧と切羽泥水圧とのアンバランスなどが生じると、地山の崩落やトンネル周りに空洞の発生が懸念される。特に、掘削前面の切羽クラウン部（切羽の上方）に均等係数が小さい砂層が存在している地盤では、切羽水圧の変動や泥水性状の変化などによって、崩落が起こる危険性が高い。地山に崩落が発生しその状態が残置されると、地下水の流動などにより地盤中の細粒分が移動し、空洞の拡大、地盤の緩みが生じ、その結果、地表面で沈下や陥没を引き起こす恐れがある。このため、切羽の掘削には厳格な施工管理が求められる。
ところが、泥水式シールドマシンは密閉型であるため、カッターヘッド前面の切羽の状態をシールドマシン内から直接目視することができない。このため、通常の泥水式シールド工法の切羽の管理では、送配泥水の性状、排土量、排土の性状を常時把握するとともに、切羽泥水圧、カッターヘッドのトルク、推力などの値や変動を監視し、オペレーターの経験に基づいて判断しているのが現状である。また、シールドマシン内で切羽の状態を探査する場合は、シールドマシン内から切羽に向けてボーリングを実施せざるを得ず、この場合、シールドマシンの掘進を長時間に亘って停止しなければならず、工期の遅延になりかねない。
【０００３】
一方、従来より、シールドマシン前方の地盤を探査するための各種の方法や装置が特許文献１−４などにより提案されている。
（１）特許文献１
特許文献１は前方探査方法に関するもので、この探査方法では、まず、地中を掘進するシールド掘進機の前部に設けられた送波器から前方へ音波を送り出すとともに、このシールド掘進機の前方の地中に存在する障害物からの反射波をシールド掘進機の前部に設けられた受波器にて受け取り、次に、送波データと受波データとの間の相互相関を求めるとともに、相関関数の大きな受波信号を抽出することで受波のノイズを除去し、そして、送波の送り出しの時刻と受波の受け取りの時刻の差と、音波の地中伝搬速度とから、シールド掘進機から障害物までの距離を算定する。
このようにして受波のノイズを取り除き、障害物までの距離を求める。また、音波の周波数を代えることで、障害物の大きさをも測定する。
（２）特許文献２
特許文献２は推進機の地盤探査装置に関するもので、この探査装置では、掘進機のシールド面板に送波器と受波器を設けるとともに、シールド面板の前方地盤中にシャフトを突出させて先方送波器を設置することで、送波器からの音波をこれから掘削する前方の障害物に反射して受波器に受信するとともに、先方送波器から受波器に音波を直接受波する。
このようにして土の音波特性を知るために必要な土中での正確な音波速度や音圧の減衰の度合いを測り、かつ掘進機本体を伝搬する直達波の影響を除去する。
（３）特許文献３
特許文献３は推進機の地盤探査装置に関するもので、この探査装置は、掘進機のシールド面板に設けられ、音波を発信する送波器と、シールド面板に設けられ、発信された音波が地盤中の人工構造物や埋設物などの障害物に反射して返ってくる音波と送波器からシールド面板上を伝わってくる音波とを受信する受波器と、受波器に設けられ、シールド面板から伝わってくる音波などの不要な波形を計測する振動計とからなり、送波器とは別に、シールド面板前方の地盤中に突出されるシャフトの先端部に、音波を受波器に直接発信して、受波器までの音波速度と音波の減衰の度合いにより掘進機がこれから掘進する土質を判断するための、先方送波器を設ける。
このようにして送波器とは別に掘進機前方の地盤中に設置した先方送波器から同じ受波器に直接受波することで、両器間の音波速度と音波の減衰を測り、これから掘進する土質を判断して、障害物までの距離を把握する。
（４）特許文献４
特許文献４は地中探査装置に関するもので、この地中探査装置では、音波探査装置が、掘進機の前面カッタ面板に取り付けられ、その内部に音波反射法により前方の地山中の障害物を探査するための地中探査センサであるハイドロフォンが設けられる。
このようにして掘削機前方の地山の障害物を探査する。
（５）特許文献５
特許文献５は地山崩壊検知方法およびその装置に関する。
この検知方法では、シールド掘削機側より地山に向かってワイヤの一端を装着した測定弾を発射し、地山に測定弾を一部貫入させた後、シールド掘削機より延びたワイヤの長さを計測することにより地山崩壊を検知する。
また、この検知装置は、ワイヤ装着溝を設けた測定弾を発射する発射管と、発射管に測定弾を装填する測定弾供給装置と、測定弾に装着するワイヤを供給するワイヤリールと、発射管の開口部と測定弾供給装置と間に開口部から順に配置された、ワイヤのカッタ、およびワイヤにこのワイヤを測定弾に固定するストッパを取り付けるストッパ取付装置と、ワイヤリールの回転に応じた回転信号を出力する回転検出装置と、この回転検出装置から回転信号を入力し、シールド掘削機本体から延びたワイヤ長さを計測し、その長さにより崩壊が発生しているかを判断する飛距離検出装置とを備える。
このようにしてワイヤを装着した測定弾を高速で発射すると、測定弾は泥水などの滞留物を貫通し、未崩壊の固い切羽面に到達することにより、地下水や泥水が溜まっている場合や緩く土砂が溜まっている場合でも、誤差を生じることなく、真の崩壊が有るかどうかを検知する。
【先行技術文献】
【特許文献】
【０００４】
【特許文献１】特開平３−８５４８３号公報
【特許文献２】特許第３０８１７１２号公報
【特許文献３】特許第３１３６２０２号公報
【特許文献４】実開平４−１２２７９５号公報
【特許文献５】特開平６−５８０７８号公報
【発明の概要】
【発明が解決しようとする課題】
【０００５】
しかしながら、上記特許文献１−５では、次のような問題がある。
（１）特許文献１の前方探査方法では、シールド掘進機の前方の地中に存在する障害物を探査するため、シールド掘進機の前部に設けた送波器から前方へ音波を送り出し、障害物からの反射波をシールド掘進機の前部に設けられた受波器にて受け取り、シールド掘進機から障害物までの距離を算定するものとしたが、音波は波長が長く、指向性が低いために、この探査方法で、カッターヘッド前方の切羽上部の地山又はカッターヘッド天端周辺の地山と泥水との境界面を探査することができない。
（２）特許文献２の推進機の地盤探査装置では、土の音波特性を知るために必要な土中での正確な音波速度や音圧の減衰の度合いを測り、かつ掘進機本体を伝搬する直達波の影響を除去するため、掘進機のシールド面板に送波器と受波器を設けるとともに、シールド面板の前方地盤中にシャフトを突出させて先方送波器を設置することで、送波器からの音波をこれから掘削する前方の障害物に反射して受波器に受信するとともに、先方送波器から受波器に音波を直接受波するものとしたが、音波は波長が長く、指向性が低いために、この探査装置で、カッターヘッド前方の切羽上部の地山又はカッターヘッド天端周辺の地山と泥水との境界面を探査することができない。
また、この場合、カッターヘッドから前方を削孔し先方送波器を取り付けたシャフトを突出させて測定するので、その間掘進機を停止せざるを得ず、掘進機による高速施工が要求される現代においては実現性は低いものと考えられる。
（３）特許文献３の推進機の地盤探査装置では、これから掘進する土質を判断して、障害物までの距離を把握するため、掘進機のシールド面板に設けられ、音波を発信する送波器、及び発信された音波が地盤中の人工構造物や埋設物などの障害物に反射して返ってくる音波と送波器からシールド面板上を伝わってくる音波とを受信する受波器と、受話器に設けられ、受波器にシールド面板から伝わってくる音波などの不要な波形を計測する振動計と、送波器とは別に、シールド面板前方の地盤中に突出されるシャフトの先端部に設けられ、音波を受波器に直接発信して、受波器までの音波速度と音波の減衰の度合いにより掘進機がこれから掘進する土質を判断するための先方送波器とを備えるものとしたが、音波は波長が長く、指向性が低いために、この探査装置で、カッターヘッド前方の切羽上部の地山又はカッターヘッド天端周辺の地山と泥水との境界面を探査することができない。
（４）特許文献５の地山崩壊検知方法及び装置では、地山崩壊を検知するため、シールド掘削機側より地山に向かってワイヤの一端を装着した測定弾を発射し、地山に測定弾を一部貫入させた後、シールド掘削機より延びたワイヤの長さを計測するものとしたが、測定後はワイヤを切断し、この切断されたワイヤが地山中に残置されるので、少量ではあるものの、場合によってはこれがカッターに絡み付いてカッターの回転不能やチャンバーの閉塞などを引き起こす恐れがある。
【０００６】
本発明は、このような従来の問題を解決するものであり、地山の崩落やトンネル周りに空洞の発生が懸念される切羽の上方を直接に、簡便で短時間の探査により、掘進工程に影響を与えることなしに、また、切羽の保持に影響することなしに、その状況や空洞の有無などを早期に把握し、早期に対策を行えるようにして、周辺の影響や工程の遅延などを防止する、地山切羽探査方法及び装置を提供すること、を目的とする。
【課題を解決するための手段】
【０００７】
上記目的を達成するために、本発明の地山切羽探査方法は、
泥水式シールドマシン先端の面板及びカッターからなるカッターヘッドを回転させ、前記カッターヘッド後方のバルクヘッドにより隔成されるチャンバー内に送泥管により泥水を供給充填して、前記カッターヘッド前方の切羽面を泥水で加圧しながら掘削した前記カッターヘッド前方の切羽上部及び前記カッターヘッド天端周辺の地山の状態を把握する切羽地山探査方法であって、
前記シールドマシンの停止中に、制御装置にケーブル又は無線により接続された超音波受発信器を先端に取り付けた探査棒を前記シールドマシンの本体内部から前記バルクヘッドに形成した穴を通して前記チャンバー内の泥水中に挿入するとともに、前記超音波受発信器を前記カッターヘッド前方の切羽上部の地山又は前記カッターヘッド天端周辺の地山に向けて当該地山と前記泥水との境界面を前記泥水の比重に応じて探査可能な地点まで移動し、前記泥水中で前記超音波受発信器から超音波を発信し、当該地山と前記泥水との境界面での反射波を前記超音波受発信器で検知して、前記超音波受発信器から当該地山までの距離を測定することにより、切羽、地山の状態を把握する、
ことを要旨とする。
この場合、超音波受送信器及び制御装置に地中連続壁の側壁測定用の超音波測定装置を含む汎用機を使用する。
この場合、予め、チャンバー内に供給する泥水と同じ比重の模擬泥水と模擬土砂を入れた水槽の中で、使用する超音波受発信器が前記模擬泥水と前記模擬土砂との境界面を探査可能な当該境界面からの距離を測定しておき、当該距離に基づいて、探査棒を前記超音波受発信器から前記バルクヘッドに形成した穴を通して前記チャンバー内の泥水中に挿入するとともに、前記超音波受発信器を前記カッターヘッド前方の切羽上部の地山又は前記カッターヘッド天端周辺の地山に向けて当該地山と前記泥水との境界面を前記泥水の比重に応じて探査可能な地点まで移動する。
この場合、予め、チャンバー内に供給する泥水と同じ比重の模擬泥水と模擬土砂を入れた水槽の中で、使用する超音波受発信器が前記模擬泥水と前記模擬土砂との境界面を探査可能な当該境界面からの距離を測定しておき、当該距離に基づいて、探査棒に必要な長さを算出する。
この場合、超音波受発信器から受発信する超音波をカッターヘッドの面板に土砂の取り込み用に形成されるスリットを通して前記面板を透過させる。
【０００８】
上記目的を達成するために、本発明の地山切羽探査装置は、
泥水式シールドマシン先端の面板及びカッターからなるカッターヘッドを回転させ、前記カッターヘッド後方のバルクヘッドにより隔成されるチャンバー内に送泥管により泥水を供給充填して、前記カッターヘッド前方の切羽面を泥水で加圧しながら掘削した前記カッターヘッド前方の切羽上部及び前記カッターヘッド天端周辺の地山の状態を把握する切羽地山探査装置であって、
超音波を受発信する超音波受発信器と、
前記超音波受発信器を制御する制御装置と、
前記超音波受発信器を先端に取り付けて、前記超音波受発信器を泥水中で移動するための所定の長さを有する探査棒とを備え、
先端に前記超音波受発信器を有する前記探査棒を前記シールドマシンの本体内部から前記バルクヘッドに形成した穴を通して前記チャンバー内の泥水中を前記カッターヘッド前方の切羽上部の地山又は前記カッターヘッド天端周辺の地山に向けて当該地山と泥水との境界面を泥水の比重に応じて探査可能な探査地点まで延ばし、前記探査地点で前記超音波受発信器から超音波を発信し、当該地山と泥水との境界面での反射波を前記超音波受発信器で検知して、前記超音波受発信器から当該地山までの距離を測定する、
ことを要旨とする。
【発明の効果】
【０００９】
本発明の切羽地山探査方法及び装置によれば、シールドマシンの停止中に、制御装置にケーブル又は無線により接続された超音波受発信器を先端に取り付けた探査棒をシールドマシンの本体内部からバルクヘッドに形成した穴を通してチャンバー内の泥水中に挿入するとともに、超音波受発信器をカッターヘッド前方の切羽上部の地山又はカッターヘッド天端周辺の地山に向けて当該地山と泥水との境界面を泥水の比重に応じて探査可能な距離まで移動し、泥水中で超音波受発信器から超音波を発信し、当該地山と泥水との境界面での反射波を超音波受発信器で検知して、超音波受発信器から当該地山までの距離を測定することにより、切羽、地山の状態を把握するようにしたので、地山の崩落やトンネル周りに空洞の発生が懸念される切羽の上方を直接に、簡便で短時間の探査により、掘進工程に影響を与えることなしに、また、切羽の保持に影響することなしに、その状況や空洞の有無などを早期に把握することができ、これにより、地山の崩落や空洞の発生があった場合に、早期の対策を講じることができ、周辺の影響や工程の遅延などを防止することができる、という本発明独自の格別な効果を奏する。
【図面の簡単な説明】
【００１０】
【図１】本発明の一実施の形態による切羽地山探査方法及び装置を示す図（（ａ）はチャンバー近傍の縦断面図（ｂ）はバルクヘッド（隔壁）の横断面図（ｃ）は面板スリットの横断面図）
【図２】同方法及び装置における超音波受発信器を先端に取り付けた探査棒をバルクヘッドから探査地点に向けて押し出し、設置した状態と引き戻した状態を示す図
【図３】同方法及び装置における超音波受発信器による泥水中（泥水比重１．２２０の場合）の超音波探査の確認実験を示す図（（１）は実験の方法を模式的に示す図（２）は実験結果を示す図）
【図４】同方法及び装置における超音波受発信器による泥水中（泥水比重１．２２０の場合）の超音波探査の指向性を含む確認実験を示す図（（１）は実験の方法を模式的に示す図（２）は実験結果を示す図）
【図５】同方法及び装置における超音波受発信器による泥水中（泥水比重１．２２０の場合）の超音波探査のスリット透過の確認実験を示す図（（１）は実験の方法を模式的に示す図（２）は実験結果を示す図）
【図６】同方法及び装置における超音波受発信器による泥水中（泥水比重１．２５０の場合）の超音波探査の確認実験を示す図（（１）は実験の方法を模式的に示す図（２）は実験結果を示す図）
【図７】同方法及び装置における超音波受発信器による泥水中（泥水比重１．２５０の場合）の超音波探査の指向性を含む確認実験を示す図（（１）は実験の方法を模式的に示す図（２）は実験結果を示す図）
【図８】同方法及び装置における超音波受発信器による泥水中（泥水比重１．２５０の場合）の超音波探査のスリット透過の確認実験を示す図（（１）は実験の方法を模式的に示す図（２）は実験結果を示す図）
【発明を実施するための形態】
【００１１】
次に、この発明を実施するための形態について図を用いて説明する。
図１に切羽地山探査方法を示している。
図１に示すように、この切羽地山探査方法は、泥水式シールドマシンＳ先端の面板１０及びカッター１１からなるカッターヘッド１を回転させ、カッターヘッド１後方のバルクヘッド２により隔成されるチャンバー３内に送泥管により泥水Ｍを供給充填して、カッターヘッド１前方の切羽（面）Ｐを泥水で加圧しながら掘削したカッターヘッド１前方の切羽上部の地山Ｐ１（以下、当該地山Ｐ１ということがある。）及びカッターヘッド１天端周辺の地山Ｐ２（以下、当該地山Ｐ２ということがある。）の状態を把握するもので、この方法では、音波よりも周数が高く、指向性の強い超音波を用いた超音波探査を採用する。
この方法では、特に、シールドマシンＳの停止中に、超音波測定装置の制御装置（図示省略）にケーブル又は無線により接続された超音波受発信器Ｕを先端に取り付けた探査棒ＢをシールドマシンＳの本体内部からバルクヘッド２に形成した穴２０を通してチャンバー３内の泥水Ｍ中に挿入するとともに、超音波受発信器Ｕをカッターヘッド１前方の切羽上部の地山Ｐ１又はカッターヘッド１天端周辺の地山Ｐ２に向けて当該地山Ｐ１又はＰ２と泥水Ｍとの境界面を泥水Ｍの比重に応じて探査可能な探査地点まで移動し、泥水Ｍ中で超音波受発信器Ｕから超音波を発信し、当該地山Ｐ１又はＰ２と泥水Ｍとの境界面での反射波を超音波受発信器Ｕで検知して、超音波受発信器Ｕから当該地山Ｐ１又はＰ２までの距離を測定することにより、切羽、地山の状態を把握する。
【００１２】
図１に切羽地山探査装置を併せて示している。
図１に示すように、この切羽地山探査装置は、泥水式シールドマシンＳ先端の面板１０及びカッター１１からなるカッターヘッド１を回転させ、カッターヘッド１後方のバルクヘッド２により隔成されるチャンバー３内に送泥管により泥水Ｍを供給充填して、カッターヘッド１前方の切羽（面）Ｐを泥水Ｍで加圧しながら掘削したカッターヘッド１前方の切羽上部の地山Ｐ１（当該地山Ｐ１）及びカッターヘッド１天端周辺の地山（当該地山Ｐ２）の状態を把握するもので、この装置では、音波よりも周数が高く、指向性の強い超音波を受発信する超音波受発信器Ｕとこの超音波受発信器Ｕを制御する制御装置（図示省略）とからなる超音波測定装置を採用する。
この装置では、特に、超音波測定装置、すなわち、超音波を受発信する超音波受発信器Ｕ、及びこの超音波受発信器Ｕを制御する制御装置と、超音波受発信器Ｕを先端に取り付けて、超音波受発信器Ｕを泥水中で移動するための所定の長さを有する探査棒Ｂとを備え、先端に超音波受発信器Ｕを有する探査棒ＢをシールドマシンＳの本体内部からバルクヘッド２に形成した穴２０を通してチャンバー３内の泥水Ｍ中をカッターヘッド１前方の切羽上部の地山Ｐ１又はカッターヘッド天端周辺の地山Ｐ２に向けて当該地山Ｐ１又はＰ２と泥水Ｍとの境界面を泥水Ｍの比重に応じて探査可能な探査地点まで延ばし、探査地点で超音波受発信器Ｕから超音波を発信し、当該地山Ｐ１又はＰ２と泥水との境界面での反射波を超音波受発信器Ｕで検知して、超音波受発信器Ｕから当該地山Ｐ１又はＰ２までの距離を測定する。
【００１３】
以下、この探査方法及び装置について詳述する。
この探査方法及び装置では、超音波測定装置に地中連続壁の側壁測定用の超音波測定装置などの汎用機を転用して使用する。この場合、超音波測定装置は、地中連続壁の側壁測定用のもので、送信部、受信部、制御部、記録部などを含むパソコンに接続可能な制御装置と、この制御装置にケーブル又は無線で接続される超音波受発信器Ｕとを備えて構成される。
また、探査棒Ｂは剛性を有する所定の長さの金属棒材により形成される。この探査方法では、後述するとおり、実際の切羽地山探査の前に予め、チャンバー３内に供給する泥水Ｍと同じ比重の模擬泥水と模擬土砂を入れた水槽の中で、使用する超音波受発信器Ｕが模擬泥水と模擬土砂との境界面を探査可能な当該境界面からの距離、すなわち、当該境界面から当該境界面を探査可能な探査地点までの距離を測定するので、当該距離に基づいて、探査棒Ｂに必要な長さを算出する。この場合、探査棒Ｂの全長は、バルクヘッド２から探査地点までの長さにシールドマシンＳの本体内部に残し、探査棒Ｂの支持、操作に必要な長さを加えた長さとなる。また、この場合、探査棒Ｂがバルクヘッド２の穴２０からの突出長さが一目して分かるように、この探査棒Ｂの周面に先端から目盛りを付けておいてもよい。
このようにして超音波受発信器Ｕを先端に取り付けた探査棒Ｂを、図２に示すように、バルクヘッド２に形成した穴２０にボールバルブ２１などのシール部材を介して、シールドマシンＳの本体内部からチャンバー３内を通して所定の探査地点に向けて押し出し可能に、また反対に引き戻し可能に取り付ける。また、この場合、探査棒Ｂの操作性をよくするために、探査棒Ｂを支持するための架台や探査棒Ｂを探査地点の方向に向けて移動案内するためのガイドを併せて設置してもよい。
【００１４】
また、この探査方法では、実際の切羽地山探査に際して、超音波受発信器Ｕをカッターヘッド１前方の切羽上部の地山Ｐ１又はカッターヘッド１天端周辺の地山Ｐ２に向けて当該地山Ｐ１又はＰ２と泥水Ｍとの境界面を泥水Ｍの比重に応じて探査可能な探査地点まで移動させるため、実際の切羽地山探査の前に予め、チャンバー３内に供給する泥水Ｍと同じ比重の模擬泥水と模擬土砂を入れた水槽の中で、使用する超音波受発信器Ｕが模擬泥水と模擬土砂との境界面を探査可能な当該境界面からの距離を測定しておく。
この測定手法を図３から図８に例示している。
ここで使用する超音波受発信器Ｕは、本来、地中連続壁工法の施工管理において泥水（安定液）が溜められた縦穴内で上下に移動しながら、超音波を縦穴の側壁に向けて放射し、その反射波を受波して、縦穴の壁面までの距離を測定するもので、この場合の泥水の比重は１．０４〜１．１０とされており、これに対して泥水式シールド工法で用いる泥水の比重は１．１〜１．２５と大きい。
そこで、泥水式シールド工法で用いられる実際の泥水Ｍ中でのこの超音波受発信器Ｕによる地山と泥水との境界面の探査の可否及び探査距離を把握する必要があり、模擬泥水と模擬土砂を使用して模擬泥水中での超音波受発信器Ｕによる超音波探査の確認実験を行う。この実験では、図３〜図８に示すように、水槽Ａ内にその底部の一端から中央付近まで斜めに所定量の土砂Ｅ１（模擬土砂Ｅ１）を盛り、所定量の泥水Ｍ１（模擬泥水Ｍ１）を入れておき、この模擬泥水Ｍ１の中に超音波受発信器Ｕを探査棒Ｂを介して挿入し、模擬土砂Ｅ１（模擬土砂Ｅ１と模擬泥水Ｍ１との境界面）までの斜め距離を変えながら、超音波により距離を計測した。
図３は模擬泥水Ｍ１の比重が１．２２０、超音波受発信器Ｕの超音波周波数がｆ＝８０ｋＨｚ、土砂角が６０°の場合である。その結果を試験結果一覧表に示す。この一覧表から、比重が１．２２０の場合、８０ｋＨｚの超音波は土砂から２６０ｍｍ〜７６０ｍｍまでの反射を捉えているが、土砂から７６０ｍｍまでの反射については、実験時の比重が時間の経過により１．２２０より下がったことが予想され、この場合、土砂の適用距離は７００ｍｍ程度と推察される。
図４は模擬泥水Ｍ１の比重が１．２２０、超音波受発信器Ｕの超音波周波数がｆ＝８０ｋＨｚの場合で、土砂角を種々に変えた場合である。その結果を試験結果一覧表に示す。この一覧表から、比重が１．２２０の場合、８０ｋＨｚの超音波は土砂角７０°〜９０°までは土砂Ｅ１の反射を検出することができ、この場合、土砂角の適用限界は６８°〜７０°以上と推測される。
また（図１を参照すると）、泥水式シールドマシンＳは一般に、カッターヘッド１が面板タイプであり、カッター１１で切削した土砂を面板１０の土砂取り込み用のスリット（開口部）１２を通してチャンバー３内に取り込むため、超音波受発信器Ｕを探査棒Ｂでチャンバー３内に挿入した際に、超音波の指向性を利用して、超音波をこのスリット１２を通して探査できることが必要となる。そこで、水槽Ａ内の土砂Ｅ１の上に２枚の鉄板を置いてこの２枚の鉄板の間をスリット（模擬スリット）に見立てて実験を行った。
図５は模擬泥水Ｍ１の比重が１．２２０、超音波受発信器Ｕの超音波周波数がｆ＝８０ｋＨｚの場合で、土砂Ｅ１の上に２枚の鉄板Ｃを置き、超音波を２枚の鉄板Ｃ間のスリットＷに通した場合である。その結果を試験結果一覧表に示す。この一覧表から、比重が１．２２０の場合、８０ｋＨｚの超音波はスリットＷまでの距離が４４０ｍｍまではスリットＷの影響を受けない。この場合、スリットＷの影響を受けない範囲はスリットＷまでの距離が４４０ｍｍ〜５４０以下と推測される。なお、この場合の超音波の指向性は１９°〜２３°以内と推測される。
図６は模擬泥水Ｍ１の比重が１．２５０、超音波受発信器Ｕの超音波周波数がｆ＝８０ｋＨｚの場合で、土砂角が６０°の場合である。その結果を試験結果一覧表に示す。この一覧表から、比重が１．２５０の場合、８０ｋＨｚの超音波は土砂Ｅ１から３００ｍｍ〜６００ｍｍまでの反射を捉えており、この場合、土砂の適用距離は６００ｍｍ〜７００ｍｍ以下と推察される。
図７は模擬泥水Ｍ１の比重が１．２５０、超音波受発信器Ｕの超音波周波数がｆ＝８０ｋＨｚの場合で、土砂角を種々に変えた場合である。その結果を試験結果一覧表に示す。この一覧表から、比重が１．２５０の場合、８０ｋＨｚの超音波は土砂角８３°〜９０°までは土砂Ｅ１の反射を検出することができ、この場合、土砂角の適用限界は８０°〜８３°以上と推測される。
図８は模擬泥水の比重が１．２５０、超音波受発信器Ｕの超音波周波数がｆ＝８０ｋＨｚの場合で、土砂Ｅ１の上に２枚の鉄板Ｃを置き、超音波を２枚の鉄板Ｃ間のスリットＷに通した場合である。その結果を試験結果一覧表に示す。この一覧表から、比重が１．２５０の場合、８０ｋＨｚの超音波はスリットＷまでの距離が３８０ｍｍまではスリットＷの影響を受けない。この場合、スリットＷの影響を受けない範囲はスリットＷまでの距離が３８０ｍｍ〜４９０ｍｍ以下と推測される。なお、この場合の超音波の指向性は２１°〜２７°以内と推測される。
以上の実験から、超音波受発信器Ｕは、泥水の比重が大きくなる程超音波の探査距離が短くなり、泥水の比重が１．２５を超えると探査は不可能であるが、泥水の比重が１．２５以下であれば、探査距離が３００ｍｍ〜５００ｍｍの範囲内で探査可能であることを確認した。また、この超音波受発信器Ｕから発信受信される超音波はその指向性により、２枚の鉄板Ｃ間の模擬スリットＷを通して探査が可能であり、スリットＷは影響しないことを確認した。
このようにチャンバー３内に供給する泥水Ｍと同じ比重の模擬泥水Ｍ１と模擬土砂Ｅ１を入れた水槽Ａの中で、使用する超音波受発信器Ｕが模擬泥水Ｍ１と模擬土砂Ｅ１との境界面を探査可能な当該境界面からの距離を測定することで、泥水式シールド工法で用いられる実際の泥水Ｍ中での当該地山Ｐ１又はＰ２と泥水Ｍとの境界面の探査の可否及び探査距離を把握することができる。
【００１５】
そして、この探査方法の、実工事での運用では、セグメントの組立中や昼夜交代時などのシールドマシンＳの掘進停止中に、カッターヘッド１を回転し所定の位置（面板１０のスリット１２がカッターヘッド１前方の切羽上部の地山Ｐ１又はカッターヘッド１天端周辺の地山Ｐ２に近接する位置）に停止させた後、図２に示すように、超音波受発信器Ｕを先端に取り付けた探査棒ＢをシールドマシンＳの本体内部からバルクヘッド２に形成した穴２０を通してチャンバー３内の泥水Ｍ中に挿入するとともに、先端の超音波受発信器Ｕをカッターヘッド１前方の切羽上部の地山Ｐ１又はカッターヘッド１天端周辺の地山Ｐ２に向けて当該地山Ｐ１又はＰ２と泥水Ｍとの境界面を泥水Ｍの比重に応じて探査可能な探査地点まで、この場合、カッターヘッド１の面板１０の土砂取り込み用のスリット１２に対して所定の距離離間した位置又はスリット１２内まで移動して、超音波探査を実施する。すなわち、泥水Ｍ中の探査地点で超音波受発信器Ｕから超音波を発信し、カッターヘッド１の面板１０のスリット１２を通して面板１０を透過させ、当該地山Ｐ１又はＰ２と泥水Ｍとの境界面での反射波を超音波受発信器Ｕで検知して、超音波受発信器Ｕから当該地山Ｐ１又はＰ２までの距離を測定することにより、切羽、地山の状態を把握する。この探査時間は数分程度である。この探査後、探査棒Ｂをチャンバー２側からシールドマシンＳ本体内部へ引き戻す。
【００１６】
以上説明したように、この探査方法及び装置によれば、シールドマシンＳの停止中に、超音波測定装置の制御装置にケーブル又は無線により接続された超音波受発信器Ｕを先端に取り付けた探査棒ＢをシールドマシンＳの本体内部からバルクヘッド２に形成した穴２０を通してチャンバー３内の泥水Ｍ中に挿入するとともに、先端の超音波受発信器Ｕをカッターヘッド１前方の切羽上部の地山Ｐ１又はカッターヘッド天端周辺の地山Ｐ２に向けて当該地山Ｐ１又はＰ２と泥水Ｍとの境界面を泥水Ｍの比重に応じて探査可能な距離まで移動し、泥水中で超音波受発信器Ｕから超音波を発信し、当該地山Ｐ１又はＰ２と泥水との境界面での反射波を超音波受発信器Ｕで検知して、超音波受発信器Ｕから当該地山Ｐ１又はＰ２までの距離を測定することにより、切羽、地山の状態を把握するようにしたので、地山の崩落やトンネル周りに空洞の発生が懸念される切羽の上方を直接、簡便に短時間で探査することができ、その状況や空洞の有無などを早期に把握することができる。そして、地山の崩落や空洞の発生があった場合には、早期の対策を講じることができ、周辺の影響や工程の遅延などを防止することができる。
また、この場合、泥水式シールド工法の特徴となる切羽地山に形成される泥膜は超音波によって破壊されることはないので、切羽の保持に何ら影響することがない。
さらに、この場合、探査作業が短時間なので、泥水式シールド工法による掘進工程に影響を与えることもない。
また、この探査方法及び装置によれば、同様にして、コピーカッターによって人為的に掘削した余掘りの状態を探査することもできる。
【００１７】
なお、この発明は、超音波受発信器を先端に取り付けた探査棒を使って、特に、カッターヘッド前方の切羽上部及びカッターヘッド天端周辺の地山の状態を把握するものとしているが、この超音波受発信器を先端に取り付けた探査棒を同様に使用して、カッターヘッド周方向のどの位置（例えば、下部、左右各側部、上部と左右各側部との間、下部と左右各側部との間）でも、また、カッターヘッド周囲の地山のどの位置（例えば、下部周辺、左右各側部周辺、上部と左右各側部との間、下部と左右各側部との間）でもその状態を同様に把握できることは、勿論である。
【符号の説明】
【００１８】
Ｓ  泥水式シールドマシン
Ｍ  泥水
Ｐ  切羽（面）
Ｐ１  カッターヘッド前方の切羽上部の地山
Ｐ２  カッターヘッド天端周辺の地山
Ｕ  超音波受発信器
Ｂ  探査棒
１  カッターヘッド
１０  面板
１１  カッター
１２  スリット
２  バルクヘッド（隔壁）
２０  穴
２１  ボールバルブ
３  チャンバー
Ａ  水槽
Ｅ１  土砂（模擬土砂）
Ｍ１  泥水（模擬泥水）
Ｃ  鉄板
Ｗ  スリット（模擬スリット）
【図１】
2018040118.tif 000003
【図２】
2018040118.tif 000004
【図３】
2018040118.tif 000005
【図４】
2018040118.tif 000006
【図５】
2018040118.tif 000007
【図６】
2018040118.tif 000008
【図７】
2018040118.tif 000009
【図８】
2018040118.tif 000010
【手続補正書】
【提出日】平成28年9月14日(2016.9.14)
【手続補正１】
【補正対象書類名】明細書
【補正対象項目名】０００２
【補正方法】変更
【補正の内容】
【０００２】
泥水式シールド工法では、シールドマシンで掘削する切羽面にシールドマシン側から泥水を供給し加圧することにより切羽の安定を図りながら掘削を進め、掘削した土砂は泥水とともに地上へ搬送し、地上で土砂と泥水を分離して、掘削した土砂を回収し、泥水を再利用する。
この工法に用いられるシールドマシンは、一般に、マシン本体の先端に回転自在に支持される面板と複数のカッタービットとからなるカッターヘッド及びカッターヘッドを回転させる駆動モータを有するカッター駆動部、カッターヘッドの後方に隔壁により隔成されたカッターチャンバー（以下、チャンバーと称す。）、マシン本体側からチャンバーに挿通される送泥管及び排泥管などを備えて構成される。
このようにしてカッターヘッドをカッター駆動部により回転させるとともに、送泥管からベントナイトや粘土などの粘性材料を加えた泥水をチャンバー内に供給充填し切羽面を泥水で加圧することにより切羽の安定を図りながら掘削を進め、カッターヘッドで掘削した土砂は泥水中に取り込んで排泥水とし、この排泥水を排泥管を通して地上へ搬送するようになっている。
このような泥水式シールド工法においては、掘削土の取り込み過多や土水圧と切羽泥水圧とのアンバランスなどが生じると、地山の崩落やトンネル周りに空洞の発生が懸念される。カッターヘッド前方の切羽やカッターヘッド周囲の地山に、特に均等係数の小さい砂層が存在している地盤では、切羽水圧の変動や泥水性状の変化などによって、崩落が起こる危険性が高い。地山に崩落が発生しその状態が残置されると、地下水の流動などにより地盤中の細粒分が移動し、地盤の緩み、空洞の拡大が生じ、その結果、地表面で沈下や陥没を引き起こす恐れがある。このため、切羽の掘削には厳格な施工管理が求められる。
ところが、泥水式シールドマシンは密閉型であるため、カッターヘッド前面の切羽の状態をシールドマシン内から直接目視することができない。このため、通常の泥水式シールド工法の切羽の管理では、送配泥水の性状、排土量、排土の性状を常時把握するとともに、切羽泥水圧、カッタートルク、推力などの値や変動を監視し、オペレーターの経験に基づいて判断しているのが現状である。また、シールドマシン内で切羽の状態を探査する場合は、シールドマシン内から切羽に向けてボーリングを実施せざるを得ず、この場合、シールドマシンの掘進を長時間に亘って停止しなければならず、工期の遅延になりかねない。
【手続補正２】
【補正対象書類名】明細書
【補正対象項目名】０００３
【補正方法】変更
【補正の内容】
【０００３】
一方、従来より、シールドマシン前方の地盤を探査するための各種の方法や装置が特許文献１−５などにより提案されている。
（１）特許文献１
特許文献１は前方探査方法に関するもので、この探査方法では、まず、地中を掘進するシールド掘進機の前部に設けられた送波器から前方へ音波を送り出すとともに、このシールド掘進機の前方の地中に存在する障害物からの反射波をシールド掘進機の前部に設けられた受波器にて受け取り、次に、送波データと受波データとの間の相互相関を求めるとともに、相関関数の大きな受波信号を抽出することで受波のノイズを除去し、そして、送波の送り出しの時刻と受波の受け取りの時刻の差と、音波の地中伝搬速度とから、シールド掘進機から障害物までの距離を算定する。
このようにして受波のノイズを取り除き、障害物までの距離を求める。また、音波の周波数を代えることで、障害物の大きさをも測定する。
（２）特許文献２
特許文献２は掘進機の地盤探査装置に関するもので、この探査装置では、掘進機のシールド面板に送波器と受波器を設けるとともに、シールド面板の前方地盤中にシャフトを突出させて先方送波器を設置することで、送波器からの音波をこれから掘削する前方の障害物に反射して受波器に受信するとともに、先方送波器から受波器に音波を直接受波する。
このようにして土の音波特性を知るために必要な土中での正確な音波速度や音圧の減衰の度合いを測り、かつ掘進機本体を伝搬する直達波の影響を除去する。
（３）特許文献３
特許文献３は掘進機の地盤探査装置に関するもので、この探査装置は、掘進機のシールド面板に設けられ、音波を発信する送波器と、シールド面板に設けられ、発信された音波が地盤中の人工構造物や埋設物などの障害物に反射して返ってくる音波と送波器からシールド面板上を伝わってくる音波とを受信する受波器と、受波器に設けられ、シールド面板から伝わってくる音波などの不要な波形を計測する振動計とからなり、送波器とは別に、シールド面板前方の地盤中に突出されるシャフトの先端部に、音波を受波器に直接発信して、受波器までの音波速度と音波の減衰の度合いにより掘進機がこれから掘進する土質を判断するための、先方送波器を設ける。
このようにして送波器とは別に掘進機前方の地盤中に設置した先方送波器から同じ受波器に直接受波することで、両器間の音波速度と音波の減衰を測り、これから掘進する土質を判断して、障害物までの距離を把握する。
（４）特許文献４
特許文献４は地中探査装置に関するもので、この地中探査装置では、音波探査装置が、掘進機の前面カッタ面板に取り付けられ、その内部に音波反射法により前方の地山中の障害物を探査するための地中探査センサであるハイドロフォンが設けられる。
このようにして掘削機前方の地山の障害物を探査する。
（５）特許文献５
特許文献５は地山崩壊検知方法およびその装置に関する。
この検知方法では、シールド掘削機側より地山に向かってワイヤの一端を装着した測定弾を発射し、地山に測定弾を一部貫入させた後、シールド掘削機より延びたワイヤの長さを計測することにより地山崩壊を検知する。
また、この検知装置は、ワイヤ装着溝を設けた測定弾を発射する発射管と、発射管に測定弾を装填する測定弾供給装置と、測定弾に装着するワイヤを供給するワイヤリールと、発射管の開口部と測定弾供給装置と間に開口部から順に配置された、ワイヤのカッタ、およびワイヤにこのワイヤを測定弾に固定するストッパを取り付けるストッパ取付装置と、ワイヤリールの回転に応じた回転信号を出力する回転検出装置と、この回転検出装置から回転信号を入力し、シールド掘削機本体から延びたワイヤ長さを計測し、その長さにより崩壊が発生しているかを判断する飛距離検出装置とを備える。
このようにしてワイヤを装着した測定弾を高速で発射すると、測定弾は泥水などの滞留物を貫通し、未崩壊の固い切羽面に到達することにより、地下水や泥水が溜まっている場合や緩く土砂が溜まっている場合でも、誤差を生じることなく、真の崩壊が有るかどうかを検知する。
【手続補正３】
【補正対象書類名】明細書
【補正対象項目名】０００５
【補正方法】変更
【補正の内容】
【０００５】
しかしながら、上記特許文献１−５では、次のような問題がある。
（１）特許文献１の前方探査方法では、シールド掘進機の前方の地中に存在する障害物を探査するため、シールド掘進機の前部に設けた送波器から前方へ音波を送り出し、障害物からの反射波をシールド掘進機の前部に設けられた受波器にて受け取り、シールド掘進機から障害物までの距離を算定するものとしたが、音波は波長が長く、指向性が低いために、この探査方法で、カッターヘッド前方の切羽上部の地山又はカッターヘッド天端周辺の地山と泥水との境界面を探査することができない。
（２）特許文献２の掘進機の地盤探査装置では、土の音波特性を知るために必要な土中での正確な音波速度や音圧の減衰の度合いを測り、かつ掘進機本体を伝搬する直達波の影響を除去するため、掘進機のシールド面板に送波器と受波器を設けるとともに、シールド面板の前方地盤中にシャフトを突出させて先方送波器を設置することで、送波器からの音波をこれから掘削する前方の障害物に反射して受波器に受信するとともに、先方送波器から受波器に音波を直接受波するものとしたが、音波は波長が長く、指向性が低いために、この探査装置で、カッターヘッド前方の切羽上部の地山又はカッターヘッド天端周辺の地山と泥水との境界面を探査することができない。
また、この場合、カッターヘッドから前方を削孔し先方送波器を取り付けたシャフトを突出させて測定するので、その間掘進機を停止せざるを得ず、掘進機による高速施工が要求される現代においては実現性は低いものと考えられる。
（３）特許文献３の掘進機の地盤探査装置では、これから掘進する土質を判断して、障害物までの距離を把握するため、掘進機のシールド面板に設けられ、音波を発信する送波器、及び発信された音波が地盤中の人工構造物や埋設物などの障害物に反射して返ってくる音波と送波器からシールド面板上を伝わってくる音波とを受信する受波器と、受話器に設けられ、受波器にシールド面板から伝わってくる音波などの不要な波形を計測する振動計と、送波器とは別に、シールド面板前方の地盤中に突出されるシャフトの先端部に設けられ、音波を受波器に直接発信して、受波器までの音波速度と音波の減衰の度合いにより掘進機がこれから掘進する土質を判断するための先方送波器とを備えるものとしたが、音波は波長が長く、指向性が低いために、この探査装置で、カッターヘッド前方の切羽上部の地山又はカッターヘッド天端周辺の地山と泥水との境界面を探査することができない。
（４）特許文献４の地中探査装置では、前方の地山中の障害物を探査するため、音波探査装置が掘進機の前面カッタ面板に取り付けられ、その内部にハイドロフォンが設けられるものとしたが、音波は波長が長く、指向性が低いために、この探査装置で、カッターヘッド前方の切羽上部の地山又はカッターヘッド天端周辺の地山と泥水との境界面を探査することができない。また、音波探査装置はカッターヘッドに切羽に向けて設置されていて、この音波探査装置の前面部に生じる可能性のある気泡や付着する土砂を取り除くために、水を噴射する手段を備えているが、音波探査装置がカッターヘッドに取り付けられ、その前面がカッターヘッド面板と略同一面となっているために、この前面を水で洗浄すると、その水流や水圧で切羽面にも影響を与え、場合によっては、泥水で形成された泥膜が破壊され、切羽を保持できなくなる可能性があり、泥水シールドでは適さないものと考えられる。
（５）特許文献５の地山崩壊検知方法及び装置では、地山崩壊を検知するため、シールド掘削機側より地山に向かってワイヤの一端を装着した測定弾を発射し、地山に測定弾を一部貫入させた後、シールド掘削機より延びたワイヤの長さを計測するものとしたが、測定後はワイヤを切断し、この切断されたワイヤが地山中に残置されるので、少量ではあるものの、場合によってはこれがカッターに絡み付いてカッターの回転不能やチャンバーの閉塞などを引き起こす恐れがある。